(57)【要約】    【課題】  キャップ体の回収の実行が動機付けられて回収率が高まり、リサイクル意識の向上に繋がるキャップ体回収装置の提供。    【解決手段】  下端部にキャップ体排出口Ｆ４を備える漏斗状内周面部Ｆ５と、下降傾斜の案内路Ｓ３を備えたキャップ体案内送出部Ｓを有し、案内路Ｓ３は、キャップ体Ｃを側周部Ｃ３の外周側にて転動させる転動支持部Ｓ１と、転動するキャップ体Ｃの閉塞部Ｃ１の軸線方向外部側を案内する案内部Ｓ２を有する。転動支持部Ｓ１と案内部Ｓ２の傾斜角は、キャップ体Ｃ移載位置にて側周部Ｃ３の下端部と漏斗状内周面部Ｆ５が同じ側へ下降傾斜し側周部Ｃ３の下端部の下降傾斜角が漏斗状内周面部Ｆ５の上部Ｆ５１の下降傾斜角θより大きくなるよう設定。【選択図】      図１
2012006755.tif 000002
【特許請求の範囲】
【請求項１】
軸線方向の一端は閉塞部に他端は開口部に形成され、側周部の外周側において転動し得るキャップ体を回収するためのキャップ体回収装置であって、
下方に向かって縮径し下端部にキャップ体排出口を備える漏斗状内周面部と、
送出端部を下端部に有する下降傾斜の案内路を備えたキャップ体案内送出部を有してなり、
前記案内路は、その上部から下端部の送出端部にわたり、対象キャップ体をその側周部の外周側において下降傾斜方向に向かって転動させるための転動支持部と、その転動支持部上を側周部の外周側において転動する対象キャップ体をその閉塞部又は開口部において案内する案内部を有し、
前記案内路を案内部により案内されつつ転動支持部上を転動して下降したキャップ体が、案内路の送出端部から送出されることにより前記漏斗状内周面部に移載されるように、前記送出端部が漏斗状内周面部に対し位置し、
その移載位置において、キャップ体の側周部の下端部と漏斗状内周面部が同じ側へ下降傾斜し、前記側周部の下端部の下降傾斜角が漏斗状内周面部の下降傾斜角と同等以上となるように、前記案内路における転動支持部の傾斜角及び案内部の傾斜角が設定されていることを特徴とするキャップ体回収装置。
【請求項２】
上記移載位置において、キャップ体の側周部の下端部の下降傾斜角が漏斗状内周面部の下降傾斜角よりも大きくなるように、上記案内路における転動支持部の傾斜角及び案内部の傾斜角が設定されている請求項１記載のキャップ体回収装置。
【請求項３】
上記漏斗状内周面部の少なくとも上方部が、カバー部により覆われており、そのカバー部の少なくとも一部を透して漏斗状内周面部が外部から見える請求項１又は２記載のキャップ体回収装置。
【請求項４】
上記漏斗状内周面部のキャップ体排出口の下方に、そのキャップ体排出口から排出されたキャップ体を受容する受容部を備える請求項１又は２記載のキャップ体回収装置。
【請求項５】
上記漏斗状内周面部のキャップ体排出口の下方に、そのキャップ体排出口から排出されたキャップ体を受容する受容部を備える請求項３記載のキャップ体回収装置。
【請求項６】
対象キャップ体を一括投入するための一括投入部を有し、一括投入部から投入された対象キャップ体が受容部に受容される請求項５記載のキャップ体回収装置。
【請求項７】
一括投入部から投入された対象キャップ体が漏斗状内周面部又はキャップ体排出口を経ずに受容部に受容される請求項６記載のキャップ体回収装置。
【請求項８】
上記カバー部により上記漏斗状内周面部を含む部分が外部に対し覆われており、前記カバー部により覆われた内部の動作音を外部へ放出するための動作音放出用開孔部を有する請求項３、５、６又は７記載のキャップ体回収装置。
【請求項９】
漏斗状内周面部の下降傾斜角が、上部において下方部よりも小さく、
案内部により案内されつつ転動支持部上を転動して案内路を下降したキャップ体が、その送出端部から送出されることにより移載される位置が前記の漏斗状内周面部の上部である請求項１乃至８の何れか１項に記載のキャップ体回収装置。
【請求項１０】
上記キャップ体における側周部の外径が、少なくとも閉塞部側の端部近傍において開口部側に向かって漸次拡大するものである請求項１乃至９の何れか１項に記載のキャップ体回収装置。
【発明の詳細な説明】
【技術分野】
【０００１】
本発明は、ペットボトル用のキャップ等のキャップ体を回収するためのキャップ体回収装置に関する
【背景技術】
【０００２】
ペットボトル等の樹脂又はその他の材料からなるボトル容器と、そのボトル容器の蓋は、一般に別の材料からなるため、分別回収の対象となることが多い。
【０００３】
しかしながら、ボトル容器と蓋とを別個に回収箱やごみ箱等に投入するのは、ややもすると煩雑である。
【０００４】
実用新案登録第３１３０７００号公報には、ペットボトル等の樹脂容器におけるボトル容器本体とキャップとを分別回収するための装置として、ボトル容器本体を回収する部分の他にキャップ回収部及び液回収部を設けたものが開示されている。
【０００５】
この回収装置にはキャップ回収部が設けられているため、キャップを投入する場所を別に見つける必要はないが、分別すること自体の煩雑性が解消する訳ではない。
【先行技術文献】
【特許文献】
【０００６】
【特許文献１】実用新案登録第３１３０７００号公報
【発明の概要】
【発明が解決しようとする課題】
【０００７】
本発明は、従来技術における上記のような課題に鑑み行われたものであって、その目的とするところは、キャップ体の回収の実行が十分に動機付けられ、キャップ体の回収率向上効果が高まり、延いてはリサイクル意識の向上にも繋がることとなるキャップ体回収装置を提供することにある。
【課題を解決するための手段】
【０００８】
(1)  上記課題を解決するための本発明のキャップ体回収装置は、
軸線方向の一端は閉塞部に他端は開口部に形成され、側周部の外周側において転動し得るキャップ体を回収するためのキャップ体回収装置であって、
下方に向かって縮径し下端部にキャップ体排出口を備える漏斗状内周面部と、
送出端部を下端部に有する下降傾斜の案内路を備えたキャップ体案内送出部を有してなり、
前記案内路は、その上部から下端部の送出端部にわたり、対象キャップ体をその側周部の外周側において下降傾斜方向に向かって転動させるための転動支持部と、その転動支持部上を側周部の外周側において転動する対象キャップ体をその閉塞部又は開口部において案内する案内部を有し、
前記案内路を案内部により案内されつつ転動支持部上を転動して下降したキャップ体が、案内路の送出端部から送出されることにより前記漏斗状内周面部に移載されるように、前記送出端部が漏斗状内周面部に対し位置し、
その移載位置において、キャップ体の側周部の下端部と漏斗状内周面部が同じ側へ下降傾斜し、前記側周部の下端部の下降傾斜角が漏斗状内周面部の下降傾斜角と同等以上となるように、前記案内路における転動支持部の傾斜角及び案内部の傾斜角が設定されていることを特徴とする。
【０００９】
対象キャップ体を、その側周部の外周側が転動支持部上に支持され、その閉塞部又は開口部が案内部に接するように、案内路に載置する。
【００１０】
案内路は下降傾斜しているので、そのキャップ体は、閉塞部又は開口部において案内部により案内されつつ、側周部の外周側において転動支持部上を転動して案内路を下降する。
【００１１】
案内部により案内されつつ転動支持部上を転動して案内路を下降したキャップ体は、案内路の下端部の送出端部から送出され、転動しつつ漏斗状内周面部に移載される。
【００１２】
その移載位置において、キャップ体の側周部の下端部と漏斗状内周面部が同じ側へ下降傾斜し、前記側周部の下端部の下降傾斜角が漏斗状内周面部の下降傾斜角と同等以上となるように、前記案内路における転動支持部の傾斜角及び案内部の傾斜角が設定されている。
【００１３】
これにより、キャップ体は、漏斗状内周面部上を上方に向かって内向きに傾斜した状態でほぼ周方向に転動しつつ螺旋を描いて転動降下し得、その後、漏斗状内周面部の下端部のキャップ体排出口から排出される。
【００１４】
尤も、キャップ体の形状、表面状態、その他の要因、或いは、キャップ体を案内路に載置する状態等により、キャップ体が螺旋を描いて転動降下せず、例えばキャップ体が倒れて漏斗状内周面部上を滑落してキャップ体排出口から排出されることや、キャップ体が漏斗状内周面部を下降せずに上方に向かって転動することも生じ得る。
【００１５】
このようにして対象キャップ体を案内路に適切に載置することにより、そのキャップ体を漏斗状内周面部上で螺旋状に降下させてキャップ体排出口から排出させることを、失敗の可能性も含みつつ実現させることができるので、一種のゲーム性も有する。そのため、回収されるべきキャップ体の所持者やその関係者、特に若年齢層の者としては、興味や遊び心が刺激され、キャップ体を案内路に載置すること、すなわちキャップ体の回収の実行が十分に動機付けられ、キャップ体の回収率向上効果が高まり、延いてはリサイクル意識の向上にも繋がることとなる。
【００１６】
(2)  本発明のキャップ体回収装置は、上記移載位置において、キャップ体の側周部の下端部の下降傾斜角が漏斗状内周面部の下降傾斜角よりも大きくなるように、上記案内路における転動支持部の傾斜角及び案内部の傾斜角が設定されているものとすることができる。
【００１７】
この場合、漏斗状内周面部に移載されたキャップ体は、上方に向かって内向きに傾斜した状態でその側周部のうち下方側の端縁部において漏斗状内周面部上をほぼ周方向に転動しつつ螺旋を描いて転動降下し得る。
【００１８】
(3)  本発明のキャップ体回収装置は、上記漏斗状内周面部の少なくとも上方部が、カバー部により覆われており、そのカバー部の少なくとも一部を透して漏斗状内周面部が外部から見えるものであることが好ましい。
【００１９】
この場合、漏斗状内周面部の上方部がカバー部により覆われているため、キャップ体案内送出部の案内路を通じて回収しようとするキャップ体以外の物が漏斗状内周面部に投入されることが防がれる。また、漏斗状内周面部がカバー部を透して外部から見えるので、キャップ体案内送出部の送出端部から送出されたキャップ体が漏斗状内周面部を周方向に転動しつつ螺旋を描いて転動降下する様子は、カバー部の少なくとも一部を透して外部から見ることができる。
【００２０】
(4)  上記(1)又は(2)のキャップ体回収装置は、上記漏斗状内周面部のキャップ体排出口の下方に、そのキャップ体排出口から排出されたキャップ体を受容する受容部を備えるものであることが好ましい。
【００２１】
この場合、漏斗状内周面部を経てキャップ体排出口から下方に排出されたキャップ体は、受容部に受容される。
【００２２】
(5)  上記(3)のキャップ体回収装置は、上記漏斗状内周面部のキャップ体排出口の下方に、そのキャップ体排出口から排出されたキャップ体を受容する受容部を備えるものであることが好ましい。
【００２３】
この場合、漏斗状内周面部を経てキャップ体排出口から下方に排出されたキャップ体は、受容部に受容される。
【００２４】
(6)  上記(5)のキャップ体回収装置は、対象キャップ体を一括投入するための一括投入部を有し、一括投入部から投入された対象キャップ体が受容部に受容されるものであることが好ましい。
【００２５】
この場合、キャップ体案内送出部を介して漏斗状内周面部に対しキャップ体を逐次投入し、キャップ体排出口を通じてそれを受容部に受容させることができるのみならず、一括投入部より対象キャップ体を一括投入することにより、多数のキャップ体であっても短時間で受容部に受容させることができる。
【００２６】
(7)  上記(6)のキャップ体回収装置は、一括投入部から一括投入された対象キャップ体が漏斗状内周面部又はキャップ体排出口を経ずに受容部に受容されるものであることが好ましい。
【００２７】
この場合、一括投入部から投入された対象キャップ体が漏斗状内周面部又はキャップ体排出口を経ずに受容部に受容されるので、回収対象外のものが投入されて不都合が生じること（例えば粘着性の物が投入されて漏斗状内周面部に粘着し、キャップ体が螺旋を描いて転動降下することが妨げられたり、キャップ体排出口を塞いだりすること）が防がれ得る。
【００２８】
(8)  上記(3)、(5)、(6)又は(7)のキャップ体回収装置は、上記カバー部により上記漏斗状内周面部を含む部分が外部に対し覆われており、前記カバー部により覆われた内部の動作音を外部へ放出するための動作音放出用開孔部を有するものであることが好ましい。
【００２９】
この場合、カバー部により外部に対し覆われている内部において、キャップ体案内送出部の送出端部から送出されたキャップ体が漏斗状内周面部を周方向に転動しつつ螺旋を描いて転動降下する動作音が、動作音放出用開孔部を通じて外部へ放出される。
【００３０】
そのため、キャップ体が漏斗状内周面部を周方向に転動しつつ螺旋を描いて転動降下する様子をカバー部の少なくとも一部を透して外部から見ることができると共に、その動作音を聞くことができるので、興趣を高めることができる。
【００３１】
(9)  上記(1)乃至(8)のキャップ体回収装置は、
漏斗状内周面部の下降傾斜角が、上部において下方部よりも小さく、
案内部により案内されつつ転動支持部上を転動して案内路を下降したキャップ体が、その送出端部から送出されることにより移載される位置が前記の漏斗状内周面部の上部であるものとすることが好ましい。
【００３２】
この場合、キャップ体は、まず漏斗状内周面部のうち上部、すなわち下降傾斜角が小さく半径が大きい部分に移載されるので、転動しつつ移載されたキャップ体は、比較的低速で大きい半径（螺旋半径）において回転することとなり、見る者に印象を与え易い。
【００３３】
下降傾斜角が小さく比較的低速で転動しつつ回転する状態が続くとキャップ体が転倒することとなり易い傾向がある。しかしながらこの場合は、キャップ体が回転半径（螺旋半径）を縮小しつつ螺旋状に下降して漏斗状内周面部の下方部に達すると、漏斗状内周面部の下降傾斜角が増大するので、キャップ体は速度が上昇しつつ螺旋状に回転降下し、キャップ体の転倒が防がれ得る。
【００３４】
(10)  上記(1)乃至(9)のキャップ体回収装置は、上記キャップ体における側周部の外径が、少なくとも閉塞部側の端部近傍において開口部側に向かって漸次拡大するものとすることができる。
【００３５】
この場合、対象キャップ体を、その側周部の外周側が転動支持部上に支持され、その閉塞部が案内部に接するように、案内路に載置すると、そのキャップ体は、案内路を下降し、閉塞部を下方側として、漏斗状内周面部の下降傾斜角と同等以上に上方に向かって内向きに傾斜した状態で転動しつつ漏斗状内周面部に移載されることとなる。
【００３６】
これによりキャップ体は、閉塞部を下方側として上方に向かって内向きに傾斜した状態で漏斗状内周面部上をほぼ周方向に転動しつつ螺旋を描いて転動降下し得る。
【００３７】
特に、移載位置においてキャップ体の側周部の下端部の下降傾斜角が漏斗状内周面部の下降傾斜角よりも大きくなるように案内路における転動支持部の傾斜角及び案内部の傾斜角が設定されている場合、閉塞部を下方側として漏斗状内周面部に移載されたキャップ体は、上方に向かって内向きに傾斜した状態でその側周部のうち閉塞部側の端縁部において漏斗状内周面部上をほぼ周方向に転動しつつ螺旋を描いて転動降下し得る。
【００３８】
このキャップ体は、その側周部の外径が少なくとも閉塞部側の端部近傍において開口部側に向かって漸次拡大（換言すれば閉塞部側に向かって漸次縮小）するので、同様に下方に向かって縮径する漏斗状内周面部上を、閉塞部を下方側として上方に向かって内向きに傾斜した状態で周方向に転動する上で適している。而も、一般にキャップ体の重心は閉塞部寄りに位置するので、キャップ体が閉塞部を下方側として上方に向かって内向きに傾斜した状態で周方向に転動することは、キャップ体の転動の安定性の点で好適である。特に、このキャップ体は、上方に向かって内向きに傾斜した状態でその側周部のうち閉塞部側の端縁部において漏斗状内周面部上をほぼ周方向に転動しつつ螺旋を描いて転動降下する場合に上で適している。
【発明の効果】
【００３９】
本発明のキャップ体回収装置によれば、対象キャップ体を案内路に適切に載置することにより、そのキャップ体を漏斗状内周面部上で螺旋状に降下させてキャップ体排出口から排出させることを、失敗の可能性も含みつつ実現させることができるので、一種のゲーム性も有する。そのため、回収されるべきキャップ体の所持者やその関係者、特に若年齢層の者としては、興味や遊び心が刺激され、キャップ体を案内路に載置すること、すなわちキャップ体の回収の実行が十分に動機付けられ、キャップ体の回収率向上効果が高まり、延いてはリサイクル意識の向上にも繋がることとなる。
【図面の簡単な説明】
【００４０】
【図１】キャップ体回収装置の側面図である。
【図２】キャップ体回収装置の正面図である。
【図３】キャップ体回収装置の平面図である。
【図４】背板部を開いた状態のキャップ体回収装置の背面図である。
【図５】キャップ体の拡大半端面図である。
【図６】梁状支持体に支持された漏斗形状体の拡大正面半断面図である。
【図７】梁状支持体の拡大平面図である。
【図８】棒状支持体に支持されたキャップ体案内送出部の拡大側面図である。
【図９】棒状支持体に支持されたキャップ体案内送出部の拡大正面図である。
【図１０】キャップ体案内送出部の拡大端面図である。
【図１１】漏斗状内周面部に移載された状態のキャップ体を示す拡大説明図である。
【発明を実施するための形態】
【００４１】
本発明のキャップ体回収装置の実施の形態を説明する。
【００４２】
(1)  図１乃至図１１は、本発明のキャップ体回収装置Ｒの実施の形態の一例に関するものである。
【００４３】
本例のキャップ体回収装置Ｒは、主に、箱状体Ｂ、漏斗形状体Ｆ、キャップ体案内送出部Ｓ、カバー部Ｖ、及び背板部Ｋからなる。
【００４４】
回収対象のキャップ体Ｃは、図５（右半部は正面の外形を示し左半部は端面を示す）に表わされているような、概ね、閉塞部Ｃ１から開口部Ｃ２に向かって漸次外径が拡大する有底円筒形状をなすものである。主に、ポリプロピレン製のキャップ体を対象とするがこれに限るものではない。
【００４５】
図５のキャップ体Ｃの側周部Ｃ３の外周側には滑止用の軸線方向溝Ｃ４が多数設けられている。キャップ体Ｃの側周部Ｃ３の開口側端部には径方向外方にやや突起した環状部Ｃ５が形成されている。
【００４６】
キャップ体Ｃを側周部Ｃ３において水平面上に載置した状態においてその水平面と閉塞部Ｃ１の軸線方向外部側（キャップ体の天面）とのなす角度は、約９４度である。
【００４７】
キャップ体Ｃの側周部Ｃ３の内周側には、施蓋する相手方のＰＥＴボトル等の口部の雄螺子部に対応する雌螺子部Ｃ６が形成されている。
【００４８】
(1-1)  箱状体
【００４９】
箱状体Ｂは、上方開口の直方体状をなし、内部が受容部Ｂ１を構成する。受容部Ｂ１には、合成樹脂フィルム製の収容袋を上方開口状態で配置することができる。
【００５０】
箱状体Ｂの正面には、右端に設けられた回動軸部のまわりに回動して開閉する扉Ｂ２が設けられている。扉Ｂ２には、受容部Ｂ１が外部から見えるようにするための合成樹脂製の透明板部Ｂ３が設けられている。なお、収容袋は、透明板部Ｂ３を透して外部から収容袋内へのキャップ体Ｃの回収状況が見えるようにするために、透明合成樹脂フィルム製であることが好ましい。
【００５１】
(1-2)  漏斗形状体
【００５２】
漏斗形状体Ｆは、下方に向かって縮径する円錐台の側周部形状をなす漏斗形状部Ｆ１と、漏斗形状部Ｆ１の上端に形成された円環状立上部Ｆ２と、漏斗形状部Ｆ１の下端部から下方に突起する円環状のキャップ体排出部Ｆ３からなり、上下方向軸線を軸とする回転体状をなす。
【００５３】
梁状支持体Ｕは、漏斗形状体Ｆを支持するためのものであって、長方形状の水平板部Ｕ１の短手方向両側部にそれぞれ垂直板部Ｕ２が垂下してなる。水平板部Ｕ１の長手方向中央部には嵌合用孔Ｕ３が形成されている。
【００５４】
漏斗形状体Ｆの下部におけるキャップ体排出部Ｆ３に水平板部Ｕ１の嵌合用孔Ｕ３が外嵌して両垂下板部Ｕ２にキャップ体排出部Ｆ３がビスＵ４により固定されることにより、漏斗形状体Ｆが梁状支持体Ｕにより支持されている。梁状支持体Ｕは、その長手方向両端部が箱状体Ｂの上部の両側部にそれぞれ固定されることにより、箱状体Ｂに対し支持されている。
【００５５】
漏斗形状部Ｆ１の内周面が、下方に向かって縮径する円錐台面形状（円錐台の側周面の形状）をなし、下端部にキャップ体排出部Ｆ３内に開口するキャップ体排出口Ｆ４を備える、漏斗状内周面部Ｆ５を構成する。
【００５６】
漏斗状内周面部Ｆ５の下降傾斜角（母線の傾斜角）は、上部Ｆ５１（漏斗状内周面部Ｆ５の高さ方向における上から約１／１０の部分）において９度、下方部Ｆ５２（漏斗状内周面部の高さ方向における下から約９／１０の部分）において３５度である。上部と下方部の間の下降傾斜角の変化は滑らかである。
【００５７】
キャップ体排出口Ｆ４の下方には箱状体Ｂの受容部Ｂ１が位置する。
【００５８】
(1-3)  キャップ体案内送出部
【００５９】
キャップ体案内送出部Ｓは、キャップ体回収装置Ｒの正面側から背面側に向かって下降傾斜する細長部材からなり、棒状支持体Ｐにより箱状体Ｂの上部に支持されている。このキャップ体案内送出部Ｓを構成する細長部材は、それぞれ細長板状をなす転動支持板部Ｓ１１と案内板部Ｓ２２が、それらの長辺同士において接合した態様のＬ字状横断面の部材である。
【００６０】
キャップ体案内送出部Ｓにおいて、転動支持板部Ｓ１１の内側面部（転動支持部Ｓ１）と案内板部Ｓ２２の内側面部（案内部Ｓ２）は、それらの上端から下端までの全長にわたり９５度の角度を挟んで隣接し、直線状に下降傾斜する案内路Ｓ３を構成する。キャップ体案内送出部Ｓにおける案内路Ｓ３の下端部が送出端部Ｓ４である。
【００６１】
転動支持部Ｓ１は、対象キャップ体Ｃをその側周部Ｃ３の外周側において転動させるためのものであり、案内部Ｓ２は、その転動支持部Ｓ１上を側周部Ｃ３の外周側において転動する対象キャップ体Ｃをその閉塞部Ｃ１の軸線方向外部側（キャップ体の天面部）において案内するためのものである。
【００６２】
案内路Ｓ３の下降傾斜する方向に直交する方向に沿って、転動支持板部Ｓ１１と案内板部Ｓ２２の接合部から転動支持板部Ｓ１１側の大部分と案内板部Ｓ２２側の一部にわたるスリット部Ｓ６が設けられている。スリット部Ｓ６は、キャップ体案内送出部Ｓの上部側及び下部側において、それぞれ平行状に３箇所ずつ設けられている。これらのスリット部Ｓ６は、キャップ体Ｃに随伴し得る液体をスリット部Ｓ６を通じて下方に流下させ得るものであると共に、スリット部Ｓ６により案内路Ｓ３に形成される溝状部により、キャップ体Ｃの側周部Ｃ３が転動支持部Ｓ１上を滑ることを防いで回転し易いようにするものである。
【００６３】
送出端部Ｓ４は、案内部Ｓ２により案内されつつ転動支持部Ｓ１上を転動して案内路Ｓ３を下降したキャップ体Ｃが、その送出端部Ｓ４から送出されることにより漏斗状内周面部Ｆ５の上部Ｆ５１に移載されるように、その移載位置の上方の手前側に位置する。
【００６４】
案内路Ｓ３における転動支持部Ｓ１の傾斜角及び案内部Ｓ２の傾斜角は、漏斗状内周面部Ｆ５のうちキャップ体Ｃが移載される位置（図１１に示す位置）において、キャップ体Ｃの側周部Ｃ３の下端部と漏斗状内周面部Ｆ５が同じ側へ下降傾斜し、側周部Ｃ３の下端部Ｃ３１の下降傾斜角δが漏斗状内周面部Ｆ５の上部Ｆ５１の下降傾斜角θ（９度）よりも大きくなるように、また下方部Ｆ５２の下降傾斜角（３５度）よりも大きくなるように設定されている。
【００６５】
案内路Ｓ３の下降傾斜する方向に直交する方向における転動支持部Ｓ１の案内部Ｓ２側への下降傾斜角は３７度である。また、案内路Ｓ３の下降傾斜する方向に直交する方向における案内部Ｓ２の転動支持部Ｓ１側への下降傾斜角は４８度である。なお、本例においては転動支持部Ｓ１の傾斜角と案内部Ｓ２の傾斜角は案内路Ｓ３の全長にわたり一定である。
【００６６】
(1-4)  カバー部
【００６７】
箱状体Ｂの上部には、漏斗形状体Ｆ及びキャップ体案内送出部Ｓ（上端のキャップ体投入部Ｓ５を除く）を覆うカバー部Ｖが形成されている。
【００６８】
カバー部Ｖを構成する部材のうち、正面下部Ｖ１、両側面部Ｖ２及び背面部Ｖ３は、それぞれ非透明の直立板により形成されており、上面奥部Ｖ４は、非透明の水平板により形成されている。またカバー部Ｖを構成する部材のうち正面中上部Ｖ５及び上面前中部Ｖ６は、それぞれ、透明合成樹脂製の傾斜板及び水平板により形成されている。
【００６９】
カバー部Ｖの上面奥部Ｖ４を構成する水平板には、角部が湾曲状をなす長方形状の開口部が、一括投入部Ｍとして設けられている。
【００７０】
図３に示されるように、一括投入部Ｍの手前側の約半分の部分は、下方に漏斗状内周面部Ｆ５の奥側部分が位置し、一括投入部Ｍの残部の下方は直接に箱状体Ｂの受容部Ｂ１に達する。
【００７１】
また、カバー部Ｖの正面下部Ｖ１を構成する直立板には、上下方向スリット群が平行状をなす動作音放出用開孔部Ｌが形成されている。
【００７２】
更に、カバー部Ｖの背面部Ｖ３を構成する直立板には、メンテナンス用開口部Ｎが設けられている。
【００７３】
(1-5)  背板部
【００７４】
背板部Ｋは、直立板状をなし、カバー部Ｖの背面側の左端に設けられた回動軸部のまわりに回動して背面部Ｖ３のメンテナンス用開口部Ｎを開閉する。背板部Ｋのうちカバー部Ｖよりも上方に突出した部分は、種々の表示、掲示、展示等に適宜利用することができる。
【００７５】
(1-6)  本例のキャップ体回収装置Ｒは、次のように使用される。
【００７６】
対象キャップ体Ｃを、その側周部Ｃ３の外周側が転動支持部Ｓ１上に支持され、その閉塞部Ｃ１の軸線方向外部側（キャップ体の天面側）が案内部Ｓ２に接するように、キャップ体投入部Ｓ５における案内路Ｓ３に載置する。
【００７７】
案内路Ｓ３は下降傾斜しているので、そのキャップ体Ｃは、閉塞部Ｃ１の軸線方向外部側において案内部Ｓ２により案内されつつ、側周部Ｃ３の外周側において転動支持部Ｓ１上を転動して案内路Ｓ３を下降する。
【００７８】
閉塞部Ｃ１側を下方とし、開口部Ｃ２側を上方として案内部Ｓ２により案内されつつ転動支持部Ｓ１上を転動して案内路Ｓ３を下降したキャップ体Ｃは、案内路Ｓ３の下端部の送出端部Ｓ４から送出され、転動しつつ送出方向前下方の漏斗状内周面部Ｆ５の上部Ｆ５１に移載される。
【００７９】
案内路Ｓ３における転動支持部Ｓ１の傾斜角及び案内部Ｓ２の傾斜角は、案内路Ｓ３を転動下降したキャップ体Ｃが送出端部Ｓ４から送出されて移載される位置である漏斗状内周面部Ｆ５の上部Ｆ５１において、キャップ体Ｃの側周部Ｃ３の下端部Ｃ３１と漏斗状内周面部Ｆ５が同じ側へ下降傾斜し、キャップ体Ｃの側周部Ｃ３の下端部の下降傾斜角δが漏斗状内周面部Ｆ５の上部Ｆ５１の下降傾斜角θ（９度）よりも大きくなるように、また下方部Ｆ５２の下降傾斜角（３５度）よりも大きくなるように設定されている。
【００８０】
そのため、図１１に示すように、閉塞部Ｃ１を下方側として漏斗状内周面部Ｆ５に移載されたキャップ体Ｃは、上方に向かって内向き（漏斗状内周面部Ｆ５の中央側向き）に傾斜した状態でその側周部Ｃ３のうち閉塞部Ｃ１側の端縁部において漏斗状内周面部Ｆ５上をほぼ周方向に転動しつつ螺旋を描いて転動降下し得る。
【００８１】
キャップ体Ｃは、その側周部Ｃ３の外径が、少なくとも閉塞部Ｃ１側の端部近傍において開口部Ｃ２側に向かって漸次拡大（換言すれば閉塞部Ｃ１側に向かって漸次縮小）するので、同様に下方に向かって縮径する漏斗状内周面部Ｆ５上を周方向に転動する上で適している。而も、キャップ体Ｃの重心は閉塞部Ｃ１寄りに位置するので、キャップ体Ｃが閉塞部Ｃ１を下方側として上方に向かって内向きに傾斜した状態で周方向に転動することは、キャップ体Ｃの転動の安定性の点でも好適である。特に、キャップ体Ｃが上方に向かって内向きに傾斜した状態でその側周部Ｃ３のうち閉塞部Ｃ１側の端縁部において漏斗状内周面部Ｆ５上をほぼ周方向に転動しつつ螺旋を描いて転動降下する上で適している。
【００８２】
また、キャップ体Ｃは、まず漏斗状内周面部Ｆ５のうち上部Ｆ５１、すなわち下降傾斜角が小さく半径が大きい部分に移載されるので、転動しつつ移載されたキャップ体Ｃは、比較的低速で大きい半径（螺旋半径）において回転することとなり、見る者に印象を与え易い。キャップ体Ｃが回転半径（螺旋半径）を縮小しつつ螺旋状に下降して漏斗状内周面部Ｆ５の下方部Ｆ５２に達すると、漏斗状内周面部Ｆ５の下降傾斜角が増大するので、キャップ体Ｃは速度を上昇させつつ螺旋状に回転降下する。下降傾斜角が小さく比較的低速で転動しつつ回転する状態が続くとキャップ体Ｃが転倒することとなり易い傾向があるが、この場合はキャップ体Ｃの転倒が防がれ得る。
【００８３】
よって、キャップ体Ｃが漏斗状内周面部Ｆ５上をほぼ周方向に転動しつつ螺旋を描いて転動降下することが実現され易い。その後、キャップ体は漏斗状内周面部Ｆ５の下端部のキャップ体排出口Ｆ４から排出される。キャップ体排出口Ｆ４から下方に排出されたキャップ体Ｃは、箱状体Ｂの受容部Ｂ１に受容される。
【００８４】
漏斗状内周面部Ｆ５が、カバー部Ｖのうち透明合成樹脂製の傾斜板及び水平板により形成されている正面中上部Ｖ５及び上面前中部Ｖ６を透して外部から見えるので、キャップ体案内送出部Ｓの送出端部Ｓ４から送出されたキャップ体Ｃが漏斗状内周面部Ｆ５を周方向に転動しつつ螺旋を描いて転動降下する様子は外部から見ることができる。
【００８５】
また、漏斗形状体Ｆは、下部のキャップ体排出部Ｆ３においてのみ支持されており、上部は特に拘束されてはいないので微振動し易い。そのため、キャップ体Ｃが漏斗状内周面部Ｆ５に移載され、螺旋を描いて転動降下する動作音が響き易い。
【００８６】
漏斗状内周面部Ｆ５を含む部分は、カバー部Ｖにより外部に対し覆われているが、その内部において、キャップ体案内送出部Ｓの送出端部Ｓ４から送出されたキャップ体Ｃが漏斗状内周面部Ｆ５を周方向に転動しつつ螺旋を描いて転動降下する動作音は、動作音放出用開孔部Ｌを通じて外部へ放出される。
【００８７】
そのため、キャップ体Ｃが漏斗状内周面部Ｆ５を周方向に転動しつつ螺旋を描いて転動降下する様子をカバー部Ｖを透して外部から見ることができると共に、その動作音を聞くことができるので、キャップ体Ｃをキャップ体投入部Ｓ５より投入する者の興趣を高めることができる。
【００８８】
また、漏斗状内周面部Ｆ５の上方部がカバー部Ｖにより覆われているため、キャップ体案内送出部Ｓの案内路Ｓ３を通じて回収しようとするキャップ体以外の物が漏斗状内周面部Ｆ５に投入されることが防がれる。
【００８９】
更に、キャップ体案内送出部Ｓを介して漏斗状内周面部Ｆ５に対しキャップ体Ｃを逐次投入し、キャップ体排出口Ｆ４を通じてそれを受容部Ｂ１に受容させることができるのみならず、一括投入部Ｍより対象キャップ体Ｃを一括投入することにより、多数のキャップ体Ｃであっても、直接におよび／または漏斗状内周面部Ｆ５を通じて、短時間で受容部Ｂ１に受容させることができる。
【００９０】
(2)  本発明におけるキャップ体は、軸線方向の一端は閉塞部に他端は開口部に形成され、側周部の外周側において転動し得るものであって、略有底円筒状をなすものとすることができる。
【００９１】
本発明のキャップ体として好ましいのは、側周部の外径が、少なくとも閉塞部側の端部近傍において開口部側に向かって漸次拡大するものである。
【００９２】
また本発明におけるキャップ体は、その側周部の外径が、開口部側の方が閉塞部側よりも大きいものとすることができる。これは、例えば側周部において水平面上を転動させた場合に、直進せず閉塞部側に向かって弧を描くように曲がりながら転動する形状であることを意味する。従って、側周部の外径が軸線方向の一端（閉塞部側）から他端（開口部側）に向かって一定の率で又は連続的に外径が拡大するものであることを必要とするものではなく、部分的に外径が拡大しないものや縮径するものであってもよいが、側周部の外径が、少なくとも閉塞部側の端部近傍において開口部側に向かって漸次拡大するものが好ましい。このようなキャップ体は、側周部において水平面上に載置した状態においてその水平面と閉塞部の軸線方向外部側とのなす角度が、一般には９０度よりもやや大きく、例えば９１乃至９７度、最も一般的には９２乃至９６度であるが、これに限るものではない。
【００９３】
また、本発明のキャップ体は、例えば側周部の外周側に滑止用の軸線方向溝が多数設けられたものであってもよい。
【００９４】
本発明におけるキャップ体の側周部の内周側には、一般には、施蓋する相手方のＰＥＴボトル等の口部の雄螺子部に対応する雌螺子部が形成されているが、これに限るものではない。
【００９５】
本発明におけるキャップ体は、例えば主にポリプロピレンからなるものを挙げることができるが、これに限るものではない。その他の合成樹脂、アルミニウム等の金属、又はその他の材料からなるものであってもよい。
【００９６】
本発明において、回収されたキャップ体は、キャップ体のみで又はその他のものと共に再利用されるものであってもよく、廃棄又はその他の処分が行われて再利用されないものであってもよい。
【００９７】
(3)  本発明における漏斗状内周面部を構成する漏斗状内周面部形成体は、図示の例のように比較的薄肉の材料により形成されて外周面が漏斗状内周面部と相似状に形成された漏斗形状体に限らない。例えば塊状体に漏斗状内周面部が形成された漏斗状内周面部形成体であってもよい。
【００９８】
本発明における漏斗状内周面部を構成する漏斗状内周面部形成体として好ましいのは、薄肉材料により形成された漏斗形状体、特に金属製の漏斗形状体である。薄肉材料により形成された漏斗形状体、特に金属製の漏斗形状体を、その下端部においてのみ支持した場合、その漏斗状内周面部にキャップ体が移載されて転動することにより漏斗形状体が微振動してその動作音が響き易くなる。
【００９９】
また本発明における漏斗状内周面部は、下方に向かって縮径する円錐台面形状をなし、下端部にキャップ体排出口を備えるものとすることができ、前記の下方に向かって縮径する比率（下降傾斜角）は、一定とすることができるほか、変化する（好ましくは滑らかに変化する）ものとすることもできる。
【０１００】
本発明における漏斗状内周面部の下降傾斜角（母線の傾斜角）は、水平面に対し例えば４乃至５５度程度とすることができる。好ましくは４乃至４５度、より好ましくは５乃至４０度である。漏斗状内周面部の下降傾斜角が一定である場合は、下降傾斜角は２０乃至５５度、好ましくは２５乃至４５度、より好ましくは３０乃至４０度とすることができる。
【０１０１】
また本発明における漏斗状内周面部の下降傾斜角は、上部において下方部よりも小さく、案内部により案内されつつ転動支持部上を転動して案内路を下降したキャップ体が、その送出端部から送出されることにより移載される位置が前記の漏斗状内周面部の上部であるものとすることができる。例えば、上部（例えば漏斗状内周面部の高さ方向における上から１／２０乃至１／２の部分、或いは１／２０乃至１／５の部分）における下降傾斜角は４乃至２０度、好ましくは５乃至１５度とすることができ、下方部（例えば漏斗状内周面部の高さ方向における下から１／２乃至１９／２０の部分、或いは４／５乃至１９／２０の部分）における下降傾斜角は２０乃至５５度、好ましくは２５乃至４５度、より好ましくは３０乃至４０度とすることができる。上部と下方部の下降傾斜角はそれぞれ一定であるものとすることができる。下降傾斜角の変化は滑らかであることが好ましい。
【０１０２】
(4)  本発明におけるキャップ体案内送出部は、Ｌ字状横断面の細長部材からなるものに限らない。例えば、角材の一つの側面部にＶ字状の溝部が案内路として形成されたものであってもよい。
【０１０３】
また、本発明における案内路の下降傾斜角度は、必ずしも一定であることを要するものではなく、本発明における案内路は、直線状であることを必ずしも要しない。
【０１０４】
また、本発明における案内路の下降傾斜する方向に直交する方向における転動支持部の案内部側への傾斜角は、案内路の上部から下端部の送出端部にわたり一定であることを要しない。
【０１０５】
また、本発明における案内路が有する転動支持部及び案内部は、それぞれ、必ずしも面状であることを要するものではなく、例えば１又は２以上の突条部からなるものであってもよい。
【０１０６】
また本発明における案内路は、キャップ体の転動降下を妨げる可能性があるようなキャップ体に随伴し得る液体を脱離させ得る（例えばスリット状又は孔状の）下方貫通部を有するものとすることができる。
【０１０７】
本発明における案内部については、キャップ体をその閉塞部又は開口部において摺動案内する際にキャップ体（キャップ体が各種飲料用液体により濡れている場合や汚れている場合も含む）に作用する摩擦抵抗ができるだけ低減される材料及び構造とすることが望ましい。例えば、キャップ体の閉塞部又は開口部との間の摩擦を低減させる下降傾斜方向の突条部（例えばフッ素樹脂製のもの）を複数本平行状に設けることができる。
【０１０８】
本発明における転動支持部については、その上でキャップ体の側周部が滑ることによりキャップ体の回転が妨げられることが防がれる材料及び構造とすることが望ましい。例えば、下降傾斜方向に直交する方向の溝部又はスリット部（キャップ体の回転を妨げない程度の溝幅のもの）や突条部（キャップ体の回転を妨げない程度の高さのもの）を複数設けてキャップ体の側周部が転動支持部上を滑ることを防いで回転し易いようにすることができる。
【０１０９】
案内路の送出端部は、案内路を案内部により案内されつつ転動支持部上を転動して下降したキャップ体が、案内路の送出端部から送出されることにより漏斗状内周面部に移載されるように位置する。送出端部は、例えば、漏斗状内周面部のうちキャップ体が移載される位置の上方の手前側の位置（案内路の向きに沿って送出端部の前方にキャップ体移載位置が位置する関係）又は漏斗状内周面部のうちキャップ体が移載される位置に接する位置とすることができる。漏斗状内周面部のうちキャップ体が移載される位置の上方の手前側の位置としては、移載したキャップ体が一周した場合にも、そのキャップ体が送出端部に触れることのない位置、例えば漏斗状内周面部上のキャップ体が傾斜した状態の高さ（キャップ体の最高高さ）よりも高い位置である。
【０１１０】
案内路における転動支持部の傾斜角及び案内部の傾斜角は、漏斗状内周面部のうちキャップ体が移載される位置において、キャップ体の側周部の下端部と漏斗状内周面部が同じ側へ下降傾斜し、側周部の下端部の下降傾斜角が漏斗状内周面部の下降傾斜角と同等以上となるように設定されている。キャップ体が移載される位置におけるキャップ体の側周部の下端部の下降傾斜角は、例えば、移載位置の漏斗状内周面部の下降傾斜角と同等の傾斜角又は移載位置の漏斗状内周面部の下降傾斜角よりも大きな傾斜角、又は、キャップ体が移載されてキャップ体排出口から排出されるまでの漏斗状内周面部の最大下降傾斜角よりも大きな傾斜角とすることができる。
【０１１１】
案内路の下降傾斜する方向を含む垂直面に直交する垂直面における転動支持部の案内部側への傾斜角は、少なくとも前記送出端部において（好ましくは全長にわたり）、案内路を転動下降したキャップ体が送出端部から送出されて移載される位置の漏斗状内周面部の下降傾斜角（一般には母線の下降傾斜角）と同等以上であるものとすることができる。前記の転動支持部の案内部側への傾斜角は、移載される位置の漏斗状内周面部の下降傾斜角と同等以上とすることができ、例えば、同等の傾斜角又は移載される位置の漏斗状内周面部の下降傾斜角よりも大きな傾斜角、又は、キャップ体が移載されてキャップ体排出口から排出されるまでの漏斗状内周面部の最大下降傾斜角よりも大きな傾斜角とすることができる。
【０１１２】
キャップ体の案内路における転動支持部と案内部のなす角度は、対象キャップ体を側周部において水平面上に載置した状態においてその水平面と閉塞部又は開口部の軸線方向外部側とのなす角度に対応するものとすることができる。例えば、一般的なペットボトル用のキャップ体を側周部において水平面上に載置した状態においてその水平面と閉塞部の軸線方向外部側とのなす角度は、９０度よりもやや大きく、例えば９１乃至９７度、最も一般的には９２乃至９６度程度であるから、キャップ体の閉塞部を案内部により案内する場合の転動支持部と案内部のなす角度は、一般には９０度よりもやや大きく、９１乃至９７度、最も一般的には９２乃至９６度とすることができる。転動支持部と案内部のなす角度をこのような角度とした場合、例えば、キャップ体を側周部において水平面上に載置した状態においてその水平面と閉塞部の軸線方向外部側とのなす角度が９０度よりもやや大きく（一方、水平面と開口部の軸線方向外部側とのなす角度が９０度よりもやや小さく）、キャップ体の側周部の外周側を転動支持部上に支持させ、キャップ体の閉塞部側を案内部に接するように案内路に前記一般的なキャップ体を載置すべきところ、逆にキャップ体の開口部側を案内部側に位置させると、開口部側と側周部の外周側のなす角度は直角よりもやや小さいので、載置した者は違和感を覚えて誤りに気付き易くなる。
【０１１３】
(5)  本発明におけるカバー部は、例えば、漏斗状内周面部及びキャップ体案内送出部（対象キャップ体を設置する位置を除く）を覆ってキャップ体案内送出部以外の箇所から漏斗状内周面部に対しものを投入し得ないものとすることができる。また、例えば、漏斗状内周面部の少なくとも上方部を覆ってキャップ体以外の物が漏斗状内周面部に投入されることをできるだけ防ぐものとすることもできる。
【０１１４】
カバー部の少なくとも一部を透して漏斗状内周面部が外部から見えるものとするには、透明材料を用いるほか、網状又は格子状材料を用いることもできる。
【０１１５】
漏斗状内周面部が外部から見えるものとする他の手段として、撮像装置と、その装置により撮像された映像を表示する表示装置を備えたものとすることができる。
【０１１６】
(6)  本発明における受容部としては、漏斗状内周面部のキャップ体排出口から下方に排出されたキャップ体を受容して保留する容器（箱状体、かご状体、袋状体等）のほか、キャップ体を受容して他の位置へ導く導出路（管路、溝路等）とすることもできる。
【０１１７】
容器の用途としては、リサイクル用の回収容器やごみ箱等の廃棄物容器を例示することができ、管路や溝路としては、リサイクル用のものや廃棄用のものを挙げることができる。
【０１１８】
(7)  本発明においてキャップ体を複数個一括投入するための一括投入部は、漏斗状内周面部よりも上方に位置し、一括投入部に投入されたキャップ体が、図１の例のように、一部は漏斗状内周面部及びキャップ体排出口を介して受容部に受容され、他のキャップ体は直接受容部に受容されるものとすることができる。
【０１１９】
また、一括投入部が、漏斗状内周面部よりも上方に位置し、例えば漏斗状内周面部の後方部に図１に二点鎖線で示すような区画Ｍ１を設けることにより、一括投入部に投入されたキャップ体が全て直接に受容部に導かれるものとすることもできる。
【０１２０】
また、一括投入部が、漏斗状内周面部よりも上方に位置し、一括投入部に投入されたキャップ体が全て漏斗状内周面部及びキャップ体排出口を介して受容部に受容されるものとすることもできる。
【０１２１】
或いは、例えば図２に二点鎖線で示すように、漏斗状内周面部の上部位置以下の位置に一括投入部Ｍ２が位置し、一括投入部に投入されたキャップ体がそのまま受容部に受容されるものとすることもできる。
【０１２２】
また本発明における一括投入部は、開閉蓋を備えたものとすることにより、一括投入部に余計な物が投入されたり侵入することをできるだけ防ぐことが望ましい。
【０１２３】
(8)  本発明における動作音放出用開孔部は、上下方向又は水平方向のスリット群とすることができる他、例えば小孔群とすることもできる。また、カバー部により覆われた内部の音声を外部へ伝える管路を設けることもできる。
【符号の説明】
【０１２４】
Ｂ      箱状体
Ｂ１    受容部
Ｂ２    扉
Ｂ３    透明板部
Ｃ      キャップ体
Ｃ１    閉塞部
Ｃ２    開口部
Ｃ３    側周部
Ｃ３１  下端部
Ｃ４    軸線方向溝
Ｃ５    環状部
Ｃ６    雌螺子部
Ｆ      漏斗形状体
Ｆ１    漏斗形状部
Ｆ２    円環状立上部
Ｆ３    キャップ体排出部
Ｆ４    キャップ体排出口
Ｆ５    漏斗状内周面部
Ｆ５１  上部
Ｆ５２  下方部
Ｋ      背板部
Ｌ      動作音放出用開孔部
Ｍ      一括投入部
Ｍ１    区画
Ｍ２    一括投入部
Ｎ      メンテナンス用開口部
Ｐ      棒状支持体
Ｒ      キャップ体回収装置
Ｓ      キャップ体案内送出部
Ｓ１    転動支持部
Ｓ１１  転動支持板部
Ｓ２    案内部
Ｓ２２  案内板部
Ｓ３    案内路
Ｓ４    送出端部
Ｓ５    キャップ体投入部
Ｓ６    スリット部
Ｕ      梁状支持体
Ｕ１    水平板部
Ｕ２    垂直板部
Ｕ３    嵌合用孔
Ｕ４    ビス
Ｖ      カバー部
Ｖ１    正面下部
Ｖ２    側面部
Ｖ３    背面部
Ｖ４    上面奥部
Ｖ５    正面中上部
Ｖ６    上面前中部
δ      キャップ体側周部の下端部の下降傾斜角
θ      漏斗状内周面部上部の下降傾斜角
【図１】
2012006755.tif 000003
【図２】
2012006755.tif 000004
【図３】
2012006755.tif 000005
【図４】
2012006755.tif 000006
【図５】
2012006755.tif 000007
【図６】
2012006755.tif 000008
【図７】
2012006755.tif 000009
【図８】
2012006755.tif 000010
【図９】
2012006755.tif 000011
【図１０】
2012006755.tif 000012
【図１１】
2012006755.tif 000013